(57)【要約】【課題】  集塵室に収容される塵埃と共に吸引したダニ等を短時間で確実に駆除することができる電気掃除機を提供する。【解決手段】  開閉部材１９で吸込口１４を閉じることにより、吸引風路１５と、サイクロン式集塵室１６と、電動送風機１７と、循環風路１８とがループ状に構成されて熱風循環風路運転ができるように構成されている。また、サイクロン式集塵室１６に収容される塵埃は、サイクロン気流により旋回することで、吸引したダニ等を短時間に確実に駆除することができる。【選択図】図３
2017140257.tif 000002
【特許請求の範囲】
【請求項１】
吸込口と、吸引風路と、サイクロン式集塵室と、電動送風機と、循環風路とを備えた掃除機本体において、前記吸込口と前記集塵室は前記吸引風路により連通し、前記集塵室と前記電動送風機とが連通し、前記電動送風機と前記吸引風路とが前記循環風路により連通して、
吸込口を閉じることにより、前記吸引風路と、前記集塵室と、前記電動送風機と、前記循環風路とがループ状に構成されて熱風循環風路運転が可能であり、
前記集塵室に収容される塵埃は、サイクロン気流により旋回されることを特徴とする電気掃除機。
【請求項２】
吸引風路の一部と集塵室とが一体的に形成され、本体分離ユニットを形成していると共に、前記本体分離ユニットは、掃除機本体から着脱自在に分離可能であって、前記本体分離ユニットの一方の側面には前記掃除機本体との接合面を有すると共に、該接合面には、前記吸引風路の一部と前記掃除機本体側の吸引風路が接合する接合部Ａと、前記集塵室の排出口と電動送風機が接合する接合部Ｂを有し、前記本体分離ユニットは、前記接合面を一方向に押圧して前記掃除機本体へ装着することを特徴とする請求項１に記載の電気掃除機。
【請求項３】
集塵室は、ダストカップとフィルターユニットを有し、該フィルターユニットは、基台と、該基台から前記集塵室内に突出したフィルター体を備え、該フィルター体の頂部は、前記基台の内壁面から前記集塵室の排出口と対向するダストカップの壁面の内側までの距離の９割以上の距離に位置するように設置されていることを特徴とする請求項１又は２に記載の電気掃除機。
【請求項４】
集塵室と吸引風路の接続部近傍に、吸引風の流れを案内する案内部が設置されていることを特徴とする請求項１〜３のいずれか１項に記載の電気掃除機。
【発明の詳細な説明】
【技術分野】
【０００１】
本発明は、熱風循環風路運転が可能なであって、被清掃面として特に布団等に付着した塵埃、ダニ等を除去する用途に適した電気掃除機に関するものである。
【背景技術】
【０００２】
従来から、吸引したダニ等を駆除するため、熱風循環風路運転が可能な電気掃除機が開発されており、掃除機本体内に、吸込口部を有する集塵室と、この集塵室に吸気側が連通された電動送風機と、この電動送風機の排気風を前記集塵室に循環してこの集塵室を加熱する掃除機本体内上方に形成された排気循環風路とを備え、前記集塵室には着脱自在に集塵袋が取り付けられた電気掃除機が知られている（特許文献１）。
【先行技術文献】
【特許文献】
【０００３】
【特許文献１】特公平８−９９号公報
【発明の概要】
【発明が解決しようとする課題】
【０００４】
上記特許文献１に記載された電気掃除機は、集塵袋を使用しているため、熱風循環風路運転により、集塵袋を均一に加熱することは困難であった。また、集塵袋内に堆積した塵埃は移動することが無いので、塵埃内部のダニ等を駆除するためには、ダニが死滅するとされる６０℃以上の高温で長時間加熱しなければならないという課題を有していた。
【０００５】
本発明は、前記従来の課題を解決するものであり、集塵室に収容される塵埃と共に吸引したダニ等を短時間で確実に駆除することができる電気掃除機を提供することを目的とする。
【課題を解決するための手段】
【０００６】
前記従来の課題を解決するために、請求項１の電気掃除機の発明は、吸込口と、吸引風路と、サイクロン式集塵室と、電動送風機と、循環風路とを備えた掃除機本体において、前記吸込口と前記集塵室は前記吸引風路により連通し、前記集塵室と前記電動送風機とが連通し、前記電動送風機と前記吸引風路とが前記循環風路により連通して、吸込口を閉じることにより、前記吸引風路と、前記集塵室と、前記電動送風機と、前記循環風路とがループ状に構成されて熱風循環風路運転が可能であり、前記集塵室に収容される塵埃は、サイクロン気流により旋回されることを特徴としている。
【０００７】
請求項１の電気掃除機は、吸引風路と、集塵室と、電動送風機と、循環風路とがループ状に構成されて熱風循環風路運転を行うことができると共に、集塵室に収容される塵埃は、サイクロン気流により旋回されるので、塵埃と共に吸引したダニ等を短時間で確実に駆除することができる。
【０００８】
請求項２の発明は、請求項１の電気掃除機において、吸引風路の一部と集塵室とが一体的に形成され、本体分離ユニットを形成していると共に、前記本体分離ユニットは、掃除機本体から着脱自在に分離可能であって、前記本体分離ユニットの一方の側面には前記掃除機本体との接合面を有すると共に、該接合面には、前記吸引風路の一部と前記掃除機本体側の吸引風路が接合する接合部Ａと、前記集塵室の排出口と電動送風機が接合する接合部Ｂを有し、前記本体分離ユニットは、前記接合面を一方向に押圧して前記掃除機本体へ装着することを特徴としている。
【０００９】
請求項２の電気掃除機は、本体分離ユニットが接合面を一方向に押圧して掃除機本体へ装着することができるので、吸引風の漏れを防ぎ、サイクロン気流及び熱風循環風の効率を高めることができる。
【００１０】
請求項３の発明は、請求項１又は２の電気掃除機において、集塵室は、ダストカップとフィルターユニットを有し、該フィルターユニットは、基台と、該基台から前記集塵室内に突出したフィルター体を備え、該フィルター体の頂部は、前記基台の内壁面から前記集塵室の排出口と対向するダストカップの壁面の内側までの距離の９割以上の距離に位置するように設置されていることを特徴としている。したがって、ダストカップに流入する吸引風を回転させて効率よくサイクロン気流を発生させることができる。
【００１１】
請求項４の発明は、請求項１〜３のいずれかの電気掃除機において、集塵室と吸引風路の接続部近傍に、吸引風の流れを案内する案内部が設置されていることを特徴としている。したがって、一層効率よくサイクロン気流を発生させることができる。
【発明の効果】
【００１２】
請求項１の発明は、熱風循環風路運転及びサイクロン気流により、塵埃と共に吸引したダニ等を短時間で確実に駆除することができる。また、請求項２の発明は、サイクロン気流及び熱風循環風の効率を高めることができる。さらに、請求項３及び４の発明は、効率よくサイクロン気流を発生させることができる。
【図面の簡単な説明】
【００１３】
【図１】本発明に係る電気掃除機の全体を示す斜視図
【図２】本発明を構成する掃除機本体を示す正面図
【図３】図２のＡ−Ａ断面図
【図４】フィルターユニットを取り外した状態の本体分離ユニットを示す斜視図
【図５】フィルターユニットの斜視図
【図６】フィルターユニットを装着した状態の本体分離ユニットを示す斜視図
【図７】図６のＢ−Ｂ断面図
【図８】本体分離ユニットと、掃除機本体の一部とを示す側面図
【図９】図８のＣ−Ｃ断面図
【発明を実施するための形態】
【００１４】
以下、本発明の実施形態について、図面を参照しながら説明する。なお、この実施の形態によって本発明が限定されるものではない。
【００１５】
図１は、本発明に係る電気掃除機の全体を示す斜視図であり、図２は、本発明を構成する掃除機本体を示す正面図である。また、図３は、図２のＡ−Ａ断面図である。これらの図を用いて本発明に係る電気掃除機の概要について説明する。
【００１６】
本発明に係る電気掃除機１０は、主に、布団に付着したダニやほこり等を除去するために使用される電気掃除機であり、後述する集塵室と、電動送風機とを備えた掃除機本体１と、掃除機用吸込具２とを備えている。また、掃除機本体１と掃除機用吸込具２は、ホース３によって連結されている。したがって、床面に付着している塵埃等は、掃除機用吸込具２によって吸引され、ホース３内部を通過した後、掃除機本体１の集塵室へと収容される。
【００１７】
掃除機用吸込具２は、底面の前側に被清掃面から塵埃を吸引する幅広の吸込口を有し、回転清掃体が収納されている回転清掃体収納室（図示せず）と、該回転清掃体収納室に先端が連通する塵埃通路を有する幅広の上ケース４ａと下ケース４ｂで形成された略直方体状の吸込具ケース４と、この吸込具ケース４の後部両側から突出するように吸込具ケース４に回転自在に取り付けられた一対の走行車輪５ａ、５ｂと、ホース３の前端部３ａと連結する連結具６と、連結具６の側部に固定された操作ハンドル７とを備えている。
【００１８】
掃除機本体１は、本体上ケース８ａと本体下ケース８ｂとで構成され、平面視が円形状であって側面が曲面にて形成されている本体ケース８と、本体ケース８に形成された連結口９と、本体上ケース８ａに固定されているアーチ状の取っ手１１と、本体下ケース８ｂに固定されている電源コード１３を備えており、連結口９には、ホース３の後端部３ｂが連結している。また、本体上ケース８ａには、電源スイッチ１２ａが設置されている。
【００１９】
前述したように、本発明に係る電気掃除機は、主に布団に付着したダニやほこり等を除去するために使用されるものであり、使用者は、一方の手で、掃除機本体１の取っ手１１を把持して布団近傍に掃除機本体１を載置した後、他方の手で、掃除機用吸込具２の操作ハンドル７を把持して被掃除面である布団に掃除機用吸込具２の吸込口を当接することによって掃除が行われる。
【００２０】
上述のように、掃除機本体１は被掃除面である布団の近傍に載置しておけばよいので、従来の掃除機のように車輪を底面に設置する必要はない。また、ホース３の長さも従来の掃除機のホースと比較して短くすることができる。さらに、掃除機本体１の向きを変えたい場合には、取っ手１１を把持し、平面視円形状の掃除機本体１の軸心を中心にして回転させればよいので、容易に掃除機本体１の向きを変えることができる。
【００２１】
本発明に係る電気掃除機の掃除機本体１は、図３に示すように、吸込口１４と、吸引風路１５と、サイクロン式集塵室１６と、電動送風機１７と、循環風路１８とを備えている。また、吸込口１４とサイクロン式集塵室１６は吸引風路１５により連通し、サイクロン式集塵室１６と電動送風機１７とが連通し、電動送風機１７と吸引風路１５とが循環風路１８により連通している。
【００２２】
そして、開閉部材１９で吸込口１４を閉じることにより、吸引風路１５と、サイクロン式集塵室１６と、電動送風機１７と、循環風路１８とがループ状に構成されて熱風循環風路運転ができるように構成されている。また、サイクロン式集塵室１６に収容される塵埃は、サイクロン気流により旋回される。尚、符号２２は排気口であり、通常の電気掃除機として吸引運転を行う場合には、吸込口１４から吸引された空気は排気口２２から排出される。一方、熱風循環風路運転時には、吸引風路１５及び循環風路１８の内部が負圧となることから、排気口２２から空気が排出されることはない。
【００２３】
掃除機本体１は、循環風路１８に設けられ、循環風路１８の空気温度を検知する感温素子（図示せず）と、この感温素子が検知した空気温度により電動送風機１７の駆動を制御する制御手段（図示せず）とを有している。感温素子は、循環風路１８に設置され、循環風路１８内の空気温度を検知しており、検知された温度情報は、制御手段によって、処理されている。尚、感温素子には、サーミスタを使用するのが好ましい。
【００２４】
また、電動送風機１７には、サーモスタット２１が設置されている。これは感温素子や制御手段が故障して、熱風循環風路運転を停止できなくなった場合に電動送風機１７を強制的に停止させるための安全装置である。このサーモスタット２１は、電動送風機１７を構成するモーターの巻線の温度を検知しており、サーモスタット２１には、バイメタル方式のサーモスタットを使用するのが好ましい。これは、熱膨張係数の異なる2種類以上の金属または合金を、堅固に接着して板状に仕上げたもので、モーターの巻線がある一定の温度以上に上昇すると湾曲することで通電を遮断するものである。しかしながら金属の熱膨張を利用しているため、サーモスタット２１が冷却されるまでの一定時間は通電が遮断されており、電気掃除機を使用できなくなる。本実施例では、サーモスタット２１の検知温度が１１０℃になると、サーモスタット２１が通電を遮断する構成としている。
【００２５】
上述したように、通常、感温素子が検知する温度の範囲内（８５℃未満）で熱風循環風路運転が行われる。しかし、電動送風機の熱が感温素子に十分に伝わっていない状態、例えば短時間の使用の後にすぐに熱風循環風路運転を開始した場合には、低温時の感温素子の特性である実際の温度との温度上昇に大きく差ができるため、感温素子が停止温度を検知する前に、電動送風機１７の温度が高くなりすぎてサーモスタット２１が通電を遮断してしまう。そのため、本発明では、上述した通り、熱風循環風路運転開始時の風路内の検知温度に応じ、適切な停止温度を設定し、確実に制御手段で電動送風機を停止させている。
【００２６】
図４は、本発明の電気掃除機を構成する本体分離ユニットのフィルターユニットを取り外した状態を示す斜視図であり、図５は、フィルターユニットの斜視図である。また、図６は、フィルターユニットを装着した状態の本体分離ユニットを示す斜視図である。これらの図を用いて本体分離ユニットの概要を説明する。
【００２７】
本体分離ユニット２０は、吸引風路の一部１５ａとサイクロン式集塵室１６とが一体的に形成されてなるものであり、前述した掃除機本体１から着脱自在に分離可能となっている。本体分離ユニット２０の一方の側面には掃除機本体１との接合面２３を有しており、この接合面２３には、吸引風路の一部１５ａと掃除機本体側の吸引風路が接合する接合部Ａ２３ａと、サイクロン式集塵室１６の排出口１６ａと電動送風機１７が接合する接合部Ｂ２３ｂを有している。そして、後述するように、本体分離ユニット２０は、接合面２３を一方向に押圧して掃除機本体１へ装着されている。
【００２８】
サイクロン式集塵室１６は、ダストカップ２４とフィルターユニット２５を有している。そして、ダストカップ２４は、側部の壁面２４ａ、２４ａ・・と、前述したサイクロン式集塵室１６の排出口１６ａと対向する側の壁面２４ｂとを備えている。また、フィルターユニット２５は、内壁面２６ａを備えた基台２６と、この基台２６からサイクロン式集塵室１６内に突出するフィルター体２７を備えている。このフィルター体２７は、皿状の頂部２７ａと、この頂部２７ａの外縁から延出するフィルター枠２７ｂ、２７ｂ・・と、フィルター２７ｃ、２７ｃ・・から形成されている。尚、図５における符号２８は、電動送風機１７との気密を保つためのパッキンである。
【００２９】
図７は、図６のＢ−Ｂ断面図であり、図８は、本体分離ユニットと、掃除機本体の一部とを示す側面図である。また、図９は、図８のＣ−Ｃ断面図である。これらの図を用いて本体分離ユニットの詳細を説明する。
【００３０】
本体分離ユニット２０を構成するサイクロン式集塵室１６は、前述したとおり、ダストカップ２４とフィルターユニット２５を有しており、フィルターユニット２５は、基台２６と、この基台２６からサイクロン式集塵室１６内に突出したフィルター体２７を備えている。そして、図７に示すように、フィルター体２７の頂部２７ａは、基台２６の内壁面２６ａからサイクロン式集塵室２６の排出口１６ａと対向するダストカップ２４の壁面２４ｂの内側までの距離Ｄの９割以上の距離Ｅに位置するように設置されている。これにより、ダストカップ２４に流入する吸引風を回転させて効率よくサイクロン気流を発生させることができる。
【００３１】
また、図８に示すように、本体分離ユニット２０の接合面２３は、吸引風路１５の一部１５ａと掃除機本体側の吸引風路１５ｂが接合する接合部Ａ２３ａと、サイクロン式集塵室１６の排出口１６ａと電動送風機１７が接合する接合部Ｂ２３ｂを有しており、本体分離ユニット２０は、接合面２３を一方向（矢印Ｆの方向）に押圧して掃除機本体１に装着される。
【００３２】
具体的には、本体分離ユニット２０に形成されている嵌合片２９の長手方向がダストカップ２４の壁面２４ｂと平行となるように設けられており、この嵌合片２９が、掃除機本体１側に形成され、長手方向がダストカップ２４の壁面２４ｂと平行となるように設けられた嵌合溝３０に嵌合する時に、接合部Ａ２３ａと接合部Ｂ２３ｂの各々の接合面が本体分離ユニット２０の装着方向に対して傾斜していることから、本体分離ユニット２０を掃除機本体１に挿嵌することで各々の接合面を一方向（矢印Ｆの方向）に押圧することとなるのである。この時、接合面２３は、接合部Ａ２３ａと接合部Ｂ２３ｂを有していることから、接合面２３を電動送風機１７側へと一方向に押圧して掃除機本体１０へ装着している。これにより、吸引風の漏れを防ぎ、サイクロン気流及び熱風循環風の効率を高めることができる。
【００３３】
ここで、掃除機本体１０へ装着の際の押圧が、二方向である場合について説明する。本体分離ユニット２０が接合面を２つ有し、例えば一方の接合面に接合部Ａ２３ａ、他方の接合面に接合部Ｂ２３ｂが形成されている場合、二方向に押圧して掃除機本体１０へ装着する必要がある。しかし、二方向に押圧していることから、接合部Ａ２３ａと接合部Ｂ２３ｂのそれぞれを同時に隙間なく接合させることは困難で、吸引風の漏れが発生しやすくなってしまう。本発明は、接合面を一方向とすることで確実に押圧しながら本体分離ユニット２０を掃除機本体１０へ装着できるため、上記課題を解決している。
【００３４】
また、図９に示すように、本体分離ユニット２０は、サイクロン式集塵室１６と吸引風路１５の接続部近傍に、吸引風の流れを案内する案内部３１を設けている。案内部３１を設けたことによって、サイクロン気流をより広範囲に旋回（矢印）させることができるため一層効率よくサイクロン気流を発生させることができる。図９において、案内部３１は、吸引風路１５とダストカップ２４のそれぞれを隆起させた部分を組み合わせることで、吸引風路１５とダストカップ２４とを跨ぐように設けられているが、吸引風路１５かダストカップ２４のどちらか一方に案内部３１を設ける構成としてもよく、これも本発明に含まれる。また、本実施形態では、案内部３１を吸引風路１５とダストカップ２４と一体的に形成しているが、別部材で案内部３１を形成する構成としてもよく、これも本発明に含まれる。尚、符号３２はつまみ部であり、使用者は、つまみ部３２を指でつまんでフィルターユニット２５の着脱を行うことができる。
【産業上の利用可能性】
【００３５】
本発明に係る電気掃除機は、熱風循環風路運転が可能であって、布団等の寝具の被清掃面に付着した塵埃やダニ等を除去するための電気掃除機として利用される。
【符号の説明】
【００３６】
１  掃除機本体
２  掃除機用吸込具
３  ホース
３ａ  前端部
３ｂ  後端部
４  吸込具ケース
４ａ  上ケース
４ｂ  下ケース
５ａ、５ｂ  走行車輪
６  連結具
７  操作ハンドル
８  本体ケース
８ａ  本体上ケース
８ｂ  本体下ケース
９  連結口
１０  電気掃除機
１１  取っ手
１２ａ  電源スイッチ
１３  電源コード
１４  吸込口
１５  吸引風路
１６  サイクロン式集塵室
１６ａ  排出口
１７  電動送風機
１８  循環風路
１９  開閉部材
２０  本体分離ユニット
２１  サーモスタット
２２  排気口
２３  接合面
２３ａ  接合部Ａ
２３ｂ  接合部Ｂ
２４  ダストカップ
２４ａ、２４ｂ  壁面
２５  フィルターユニット
２６  基台
２６ａ  内壁面
２７  フィルター体
２７ａ  頂部
２７ｂ  フィルター枠
２７ｃ  フィルター
２８  パッキン
２９  嵌合片
３０  嵌合溝
３１  案内部
３２  つまみ部
【図１】
2017140257.tif 000003
【図２】
2017140257.tif 000004
【図３】
2017140257.tif 000005
【図４】
2017140257.tif 000006
【図５】
2017140257.tif 000007
【図６】
2017140257.tif 000008
【図７】
2017140257.tif 000009
【図８】
2017140257.tif 000010
【図９】
2017140257.tif 000011